(57)【特許請求の範囲】
【請求項１】
建物開口部に設けた枠体内の一方に設けた固定障子と他方に設けていて移動可能な可動障子とを備えた上げ下げ窓であって、
前記枠体の縦枠で前記固定障子よりも屋内側に形成されていて前記可動障子の移動をガイドするガイド溝と、
前記ガイド溝内を走行可能で前記可動障子に取り付けた支持部材と、
前記ガイド溝における前記可動障子の移動領域を少なくとも覆っていて前記支持部材の移動を許容する第一カバー部材と、を備え、
前記ガイド溝と前記第一カバー部材とで断面筒状のホロー部を形成していることを特徴とする上げ下げ窓。
【請求項２】
建物開口部に設けた枠体内の一方に設けた固定障子と他方に設けていて移動可能な可動障子とを備えた上げ下げ窓であって、
前記枠体の縦枠に形成されていて前記可動障子の移動をガイドするガイド溝と、
前記ガイド溝内を走行可能で前記可動障子に取り付けた支持部材と、
前記ガイド溝における前記可動障子の移動領域を少なくとも覆っていて前記支持部材の移動を許容する第一カバー部材と、
前記ガイド溝における可動障子の非移動領域を覆っていて開閉可能な第二カバー部材を備えていることを特徴とする上げ下げ窓。
【請求項３】
前記ガイド溝は樹脂製であり、前記第一カバー部材は繊維体またはヒレ部であり、前記断面筒状のホロー部は断熱空間を形成している請求項１に記載された上げ下げ窓。
【請求項４】
前記第二カバー部材は、扉部、繊維体またはヒレ部である請求項２に記載された上げ下げ窓。
【請求項５】
前記第一カバー部材は、前記ガイド溝における前記可動障子が移動可能な移動領域に設け、前記第二カバー部材は、前記ガイド溝における前記可動障子が移動しない非移動領域に設けた請求項２または４に記載された上げ下げ窓。
【請求項６】
建物開口部に設けた枠体内の一方に設けた固定障子と他方に設けていて移動可能な可動障子とを備えた上げ下げ窓であって、
前記枠体の縦枠に形成されていて前記可動障子の移動をガイドするガイド溝と、
前記ガイド溝内を走行可能で前記可動障子に取り付けた支持部材と、
前記ガイド溝における前記可動障子の移動領域を少なくとも覆っていて前記支持部材の移動を許容する第一カバー部材と、を備え、
前記第一カバー部材は、前記ガイド溝における前記可動障子の移動領域と非移動領域に設けたことを特徴とする上げ下げ窓。
【発明の詳細な説明】
【技術分野】
【０００１】
本発明は、住宅やビル等の各種の建物の開口部に取り付けられた上げ下げ窓に関する。
【背景技術】
【０００２】
従来、建物の開口部に取り付けた枠体内に上障子と下障子を装着して、上障子を固定保持し、下障子を上下動可能にして開口可能な上げ下げ窓が知られている。このような上げ下げ窓の一例として例えば特許文献１に記載されたものが提案されている。この上げ下げ窓は障子の閉鎖状態で枠体内に上障子と下障子とが上下方向に平面状に配設されており、その室内側の左右の縦枠に形成したガイド溝は、下端部から上方に向けて斜め方向に傾斜する傾斜溝と上下方向に延びる直線溝とを有している。そして、下障子はガイド溝に沿って開閉作動することになる。
【０００３】
特許文献１に記載された上げ下げ窓１００は、図９に示す下障子１０１の部分水平断面図において、下障子１０１の下框の底部には縦枠１０２に形成したガイド溝１０３に係合する支持部材１０４が形成されている。支持部材１０４にはガイド溝１０３に沿って配設されたワイヤー１０６の一端が係止され、ワイヤー１０６の他端は縦枠の上部に配設されたバランサー内の巻き上げばねに連結されている。
また、図１０に示す枠体に固定された上障子１０７の部分水平断面図において、バランサー内に設けた巻き上げばねから繰り出されたワイヤー１０６はガイド溝１０３内を降下して支持部材１０４に係止されている。
【０００４】
そして、上げ下げ窓１００の開放時には、図９において二点鎖線で示す閉塞位置の下障子１０１を下端の支持部材１０４を支点として見込み側に倒して屋内側に傾斜させる。次に下障子１０１の上框に設けた引手部を把持して下障子１０１を持ち上げると支持部材１０４とラッチ部材がガイド溝１０３にガイドされて上昇して全開位置まで上昇可能である。また、下障子１０１はバランサーの巻き上げばねの付勢力によって任意の位置で静止する。
【先行技術文献】
【特許文献】
【０００５】
【特許文献１】特開２０１２−１８９７号公報
【発明の概要】
【発明が解決しようとする課題】
【０００６】
しかしながら、特許文献１に記載された上げ下げ窓１００では、枠体の縦枠部分の断熱性を高めるために樹脂縦枠の部分に密閉した断面筒状のホロー部を形成することが好ましいが、上述したようにガイド溝１０３の走行領域は、下障子１０１の開閉作動時に支持部材１０４とラッチ部材が上下動するため、開口状態に維持しなければならず断面筒状のホロー部を形成できなかった。
【０００７】
同様に、下障子１０１の全開位置より上側領域のガイド溝１０３は下障子１０１が走行しないが、上げ下げ窓１００の組立時に、下障子１０１の支持部材１０４にワイヤー１０６を係止する必要があった。そのため、巻き上げばねで巻き上げられたワイヤー１０６をガイド溝１０３から引き出して支持部材１０４に係止しなければならないため、ガイド溝１０３の上部領域もワイヤー１０６を取り出し易いように開口状態にしていた。このような上げ下げ窓１００の構造上、ガイド溝に断面筒状のホロー部を形成できず、縦枠の断熱性を向上できなかった。
【０００８】
本発明は、このような課題に鑑みてなされたものであって、可動障子をガイド溝に沿って移動可能で縦枠の断熱性を高めることのできる上げ下げ窓を提供することを目的とする。
【課題を解決するための手段】
【０００９】
本発明による上げ下げ窓は、建物開口部に設けた枠体内の一方に設けた固定障子と他方に設けていて移動可能な可動障子とを備えた上げ下げ窓であって、枠体の縦枠で前記固定障子よりも室内側に形成されていて可動障子の移動をガイドするガイド溝と、ガイド溝内を走行可能で可動障子に取り付けた支持部材と、ガイド溝における可動障子の移動領域を少なくとも覆っていて支持部材の移動を許容する第一カバー部材と、を備え、前記ガイド溝と前記第一カバー部材とで断面筒状のホロー部を形成していることを特徴とする。
本発明による上げ下げ窓は、ガイド溝を第一カバー部材によって覆っているので断面筒状のホロー部を形成して断熱性を向上できる上に外観上の見栄えがよく、しかも可動障子を開閉のためにガイド溝に沿って移動させると第一カバー部材は弾性変形して支持部材の移動を許容するため可動部材の開閉作動に影響を与えずに断熱性を高くできる。
なお、ガイド溝を可動障子の移動領域と非移動領域とに分けた場合、第一カバー部材は両方の領域に設けてもよいし、移動領域に設けてもよい。また、索状部材はバランサーに設けた巻き上げ手段の付勢力によって可動障子の昇降位置に応じて長さを調整できるようにしてもよい。
【００１０】
また、本発明による上げ下げ窓は、建物開口部に設けた枠体内の一方に設けた固定障子と他方に設けていて移動可能な可動障子とを備えた上げ下げ窓であって、前記枠体の縦枠に形成されていて前記可動障子の移動をガイドするガイド溝と、前記ガイド溝内を走行可能で前記可動障子に取り付けた支持部材と、前記ガイド溝における前記可動障子の移動領域を少なくとも覆っていて前記支持部材の移動を許容する第一カバー部材と、ガイド溝における可動障子の非移動領域を覆っていて開閉可能な第二カバー部材を備えていることを特徴とする。
可動障子が移動しないガイド溝の非移動領域を第二カバー部材で覆うことで索状部材が見えないので外観の見栄えがよく、上げ下げ窓の組立時等に第二カバー部材を開放することで索状部材を容易に引き出すことができる。
【００１１】
また、前記ガイド溝は樹脂製であり、前記第一カバー部材は繊維体またはヒレ部であり、前記断面筒状のホロー部は断熱空間を形成していることが好ましい。
第一カバー部材が繊維体またはヒレ部であれば、可動障子の支持部材の走行時には繊維体またはヒレ部が逃げて通過後に元の閉鎖位置に戻る。
【００１２】
また、第二カバー部材は、扉部、繊維体またはヒレ部であってもよい。
第二カバー部材が扉部であれば開閉可能であり、繊維体またはヒレ部である場合には繊維体またはヒレ部を変位させて開いて索状部材を引き出すことができる。
【００１３】
また、第一カバー部材は、ガイド溝における可動障子が移動可能な移動領域に設け、第二カバー部材は、ガイド溝における可動障子が移動しない非移動領域に設けるようにしてもよい。
可動障子が移動しない非移動領域では、索状部材を引き出す場合に第二カバー部材を開放し、引き出さない場合には閉じておくことができ、可動障子が移動する移動領域では第一カバー部材はガイド溝を覆った状態で支持部材の走行を許容する。
【００１４】
また、本発明による上げ下げ窓は、建物開口部に設けた枠体内の一方に設けた固定障子と他方に設けていて移動可能な可動障子とを備えた上げ下げ窓であって、前記枠体の縦枠に形成されていて前記可動障子の移動をガイドするガイド溝と、前記ガイド溝内を走行可能で前記可動障子に取り付けた支持部材と、前記ガイド溝における前記可動障子の移動領域を少なくとも覆っていて前記支持部材の移動を許容する第一カバー部材と、を備え、前記第一カバー部材は、前記ガイド溝における前記可動障子の移動領域と非移動領域に設けたことを特徴とする。
第一カバー部材をガイド溝の移動領域と非移動領域に連続して設けることで製造が容易になる。
【発明の効果】
【００１６】
本発明による上げ下げ窓によれば、枠体の縦枠に、可動障子の移動をガイドするガイド溝を覆っていて支持部材の移動を許容する第一カバー部材を備えたので、断面筒状のホロー部を形成して断熱性を向上できる上に索状部材を露出しないで隠すため外観上の見栄えがよい。しかも、開閉のために可動障子をガイド溝に沿って移動させると第一カバー部材は弾性変形して支持部材の移動を許容するため可動部材の開閉作動に影響を与えずに断熱性を高く維持できる。
【図面の簡単な説明】
【００１７】
【図１】本発明の実施形態による上げ下げ窓の正面図である。
【図２】図１に示す上げ下げ窓の枠体を除いた上下障子とバランサーを示す説明図である。
【図３】図１に示す上げ下げ窓のＡ−Ａ線縦断面図である。
【図４】図３に示す上げ下げ窓のＢ−Ｂ線水平断面図である。
【図５】図３に示す上げ下げ窓のＣ−Ｃ線水平断面図である。
【図６】図１に示す上げ下げ窓のＢ−Ｂ線断面のラッチ錠装置と縦枠の部分拡大図である。
【図７】下障子が半開状態にある要部断面図である。
【図８】下障子が全開状態にある要部断面図である。
【図９】従来の上げ下げ窓における下障子とガイド溝との位置関係を示す部分水平断面図である。
【図１０】上げ下げ窓に下障子を組み立てる際にガイド溝内のワイヤーを引き出す工程を示す部分水平断面図である。
【発明を実施するための形態】
【００１８】
以下、本発明の実施形態による上げ下げ窓１について添付図面によって説明する。
図１乃至図８は本発明の実施形態による上げ下げ窓１を示すものである。
本実施形態による上げ下げ窓１は、図１に示すように建物の開口部に四角形枠状の枠体２と枠体２内に収められて密閉する上障子３及び下障子４とを備えている。
枠体２は、上枠６、下枠７、左右の縦枠８，９からなっている。枠体２内の上障子３は固定障子として枠体２に固定保持され、下障子４は可動障子として上下方向に昇降可能で開閉可能である。また、図２に示すように、左右の縦枠８，９内には上部にバランサー１１が設けられ、各バランサー１１から繰り出されるワイヤー１２の他端部は下障子４の下框２４の両端に設けた支持部材１３の支持部１３ａにそれぞれ係止されている。また、バランサー１１内にはワイヤー１２を巻き上げ方向に付勢する巻き上げばねが内蔵されており、下障子４の荷重とバランスして任意の高さ位置で下障子４を静止保持できる。
【００１９】
図３において、左右の縦枠８，９には下障子４の昇降をガイドするガイド溝１５が形成されている。ガイド溝１５は下枠７の部分から枠体２の屋内側に向けて傾斜して上方に延びる傾斜溝１５ａと上障子３と略平行に上枠６方向に延びる直線溝１５ｂとを有している。傾斜溝１５ａの水平面に対する傾斜角θは適宜設定できるものであるが、２５°から４５°の範囲に設定することが好ましい。
そして、上障子３と下障子４は閉鎖状態で枠体２内に略同一平面状に保持されて高い気密性と良好な意匠性を有しており、開口時には下障子４を傾斜させて左右の縦枠８，９に形成されたガイド溝１５に沿って上昇させることで開口することができる。
【００２０】
図１乃至図３において、上障子３は上框１７、下框１８、左右の縦枠１９，２０によって四角形状に形成され、内部にパネルとして複層ガラス、例えばトリプルガラス２１が収納され、上障子３は枠体２に固定されている。同様に下障子４も上框２３、下框２４、左右の縦框２５，２６によって四角形状に形成され、内部にパネルとして複層ガラス、例えばトリプルガラス２７が収納されている。
なお、上障子３と下障子４はパネルとしてトリプルガラス２１に代えてぺアガラスや他の複層ガラスや単層ガラス等を収納していてもよい。
【００２１】
そして、下障子４において、上框２３にはその屋内側に下障子４を傾斜させる際に把持するための引手部３０が設けられている。引手部３０は例えば樹脂製であり、上障子３の下框１８と下障子４の上框２３と両者の隙間２２を覆うように縦方向と横方向に密閉された断面筒状の複数のホロー部（以下単にホロー部という）が積層されて形成され、一部のホロー部は隙間２２内に配設されている。これによって上障子３の下框１８と下障子４の上框２３と両者の隙間２２の断熱性を向上させている。図３において、上げ下げ窓１の屋内側に樹脂製の引手部３０を配設して外観の意匠性を向上させ、金属上框３４を屋外側に寄せて断熱性を高めている。
【００２２】
また、下障子４の上框２３には、トリプルガラス２７を保持するグレージングチャンネル３２と引手部３０との間に上部補強金具３３が取り付けられてグレージングチャンネル３２を覆っている。上部補強金具３３は例えばスチール製等であり、屋内側の一端部から屋外側の他端部まで例えば階段状に形成されており、屋内側の一端部はグレージングチャンネル３２を覆って引手部３０の凹部に嵌合され、屋外側の他端部はアルミ製の金属上框３４の凹部に嵌合して固定されている。
【００２３】
また、下障子４における上框２３の見付け方向（幅方向）の両側部には、図６に示すように、後述するばね部材６８の弾性によって外側に突出するラッチ部材６７が設けられている。そして、下障子４を引手部３０で屋内側に傾斜させて、ラッチ部材６７をガイド溝１５の直線溝１５ｂに嵌合可能としている。
そして、下障子４を開閉する場合にはラッチ部材６７と支持部材１３が嵌合するガイド溝１５をガイドとして昇降可能とされている。また、上げ下げ窓１の清掃状態では、ラッチ部材６７がガイド溝１５を外れて更に屋内側に傾斜して保持されることになる。
【００２４】
次に図３に示す下障子４の下框２４において、トリプルガラス２７を保持するグレージングチャンネル３２は下部補強金具３６によって覆われており、その下側には樹脂下框３７が取り付けられている。下部補強金具３６は例えばスチール等であり、屋内側の一端部から屋外側の他端部まで例えば階段状に形成されており、屋内側の一端部はグレージングチャンネル３２を覆って樹脂下框３７の凹部に嵌合され、屋外側の他端部はアルミ製の金属下框３８の凹部に嵌合して固定されている。
また、下部補強金具３６は上部補強金具３３と略対称に形成されていてそれぞれグレージングチャンネル３２を介してトリプルガラス２７を上下に挟持する構成を有している。しかも、上框２３と下框２４に引手部３０と樹脂下框３７をそれぞれ設置すると共に、金属上框３４と金属下框３８を屋外側に寄せて断熱性を高めたことによる下障子４の強度低下を両補強金具３３、３６で補強している。
【００２５】
また、下障子４に設けた樹脂下框３７はグレージングチャンネル３２の下部から下部補強金具３６を覆って屋内側に延びて断面階段状に形成されており、その屋内側端部には突出部として引手片３７ａが突出している。また、グレージングチャンネル３２の下部には樹脂下框３７に係合する金属下框３８が屋外側に延びて下部補強金具３６の他端部を嵌合すると共にその下方には支持部材１３が係合されており、しかも支持部材１３は下部補強金具３６にねじ固定されている。支持部材１３にはガイド溝１５に摺動可能に嵌合された支持部１３ａが設けられている。
【００２６】
また、下障子４の下框２４と下枠７との間には下障子４と支持部材１３が回動して傾斜し昇降することを許容するための空間４２が形成されており、この空間４２はガイド溝１５の傾斜溝１５ａに沿った屋内側に開口４２ａを有している。そして、樹脂下框３７の引手片３７ａが開口４２ａに突出して開口を狭めている。
また、開口４２ａを形成する下枠７には例えばアルミ製の金属下枠４４が形成され、金属下枠４４の屋外側端部に固定されたパッキン４５に閉鎖状態の下障子４の金属下框３８が当接して密閉している。金属下枠４４の屋内側の側部には第一ヒレ部４６ａを有する第一軟質樹脂下枠４６と、樹脂下框３７の底部に当接する第二ヒレ部４７ａを有する第二軟質樹脂下枠４７とが硬質樹脂下枠を介して連結されている。
【００２７】
また、図３及び図４において、下障子４はガイド溝１５内に支持部材１３とラッチ部材６７を嵌合させてガイド溝１５に沿って昇降可能であり、支持部材１３が直線溝１５ｂに移動した時点で上障子３と略平行に昇降可能であり、ストッパー５６に当接する全開位置まで上昇可能である。
図４及び図５において、下障子４の縦框２５，２６にはそれぞれグレージングチャンネル３２を覆う金属縦框４９に樹脂縦框５０が連結されている。各樹脂縦框５０の縦枠８，９側には例えばモヘア等の繊維体からなるシール材５１が上下方向に所定間隔を開けて例えば２条取り付けられている。縦框２５，２６に対向する縦枠８，９には金属縦枠５２の内側に樹脂縦枠５３が連結され、樹脂縦枠５３は断面筒状のホロー部５３ａが縦方向と横方向にそれぞれ複数形成されている。
【００２８】
そして、樹脂縦枠５３の屋内側部分には断面略コの字状のガイド溝１５が上下方向に配設されている。ガイド溝１５の例えば直線溝１５ｂは下障子４が移動可能な移動領域Ｐとその上側である非移動領域Ｑとを有している。ガイド溝１５の直線溝１５ｂにおける下障子４の移動領域Ｐにはガイド溝１５の開口を塞ぐ第一カバー部材として繊維体からなるモヘア５５が対向する位置にそれぞれ取り付けられている。ガイド溝１５内を下障子４の支持部材１３とラッチ部材６７が走行する際、各モヘア５５を両側に押し分けて弾性変形させる。そのため、ガイド溝１５とモヘア５５は閉鎖した断面筒状のホロー部を構成し、断熱性を高めることができる。
しかも、図４及び図５に示す上げ下げ窓１の水平方向断面において、樹脂縦框５０に設けた断面筒状のホロー部５０ａとシール材５１で挟む中空部と樹脂縦枠５３の断面筒状のホロー部５３ａとを設けたことで断熱性が高くなる。しかもこれらの断面筒状のホロー部５０ａ、５３ａは屋内側に寄っており、屋外側に金属縦框４９と金属縦枠５２を寄せて設けたから一層屋内の断熱性が高くなる。
【００２９】
また、図３及び図５において、ガイド溝１５における下障子４の移動領域Ｐの上方は下障子４が到達しない非移動領域Ｑであり、この非移動領域Ｑの屋外側には上障子３が枠体２に固定されている。縦枠８，９の非移動領域Ｑには、ストッパー５６の上方に、各樹脂縦枠５３のガイド溝１５の開口を覆う第二カバー部材として扉部５７が開閉可能に取り付けられている。
そして、上げ下げ窓１を組み立てる際、バランサー１１の巻き上げばねに係止させたワイヤー１２の一端部を下障子４の支持部１３ａに固定する際、バランサー１１近傍のガイド溝１５の扉部５７を開放するとワイヤー１２を取り出し易くなる。ガイド溝１５と扉部５７は閉鎖した断面筒状のホロー部を構成し、断熱性を高めることができる。ガイド溝１５の開口を覆う上部の扉部５７とその下側のモヘア５５は連続して形成されていることが断熱性を高める上で好ましい。また、モヘア５５の下端位置は任意に設定でき、ガイド溝１５の直線溝１５ｂから傾斜溝１５ａの下方まで延びていてもよい。
【００３０】
図６は下障子４に設けた左右のラッチ錠装置６５の一方を代表して示すものである。下障子４の上框２３内の左右の側部にそれぞれ設けたラッチ錠装置６５は、基板６６にラッチ部材６７が縦枠８、９方向にそれぞれ進退可能に配設され、各ラッチ部材６７に設けたばね部材６８によって突出方向に付勢されている。また、基板６６に進退可能に設けた摺動棒６９は操作部６９ａに連結されている。縦枠８、９には突出する摺動棒６９が係合する凹溝７０が形成され、摺動棒６９は操作部６９ａによって係脱可能とされている。そして、摺動棒６９を凹溝７０から外した状態で、下障子４を傾斜させることで、ラッチ部材６７がガイド溝１５に嵌合可能になる。
【００３１】
本実施形態による上げ下げ窓１は上述の構成を備えており、次にその作用を説明する。
図１及び図３に示すように下障子４が閉鎖状態にある場合には、枠体２内で上障子３と下障子４が同一面状に設置されて気密性を保持している。
また、下障子４の下框２４と下枠７との空間４２は下枠７に設けた第二軟質樹脂下枠４７の第二ヒレ部４７ａで閉塞され、更に開口４２ａは樹脂下框３７の引手片３７ａと第一軟質樹脂下枠４６の第一ヒレ部４６ａとで狭めているので断熱性が高い。
しかも、枠体２の各縦枠８，９に設けた樹脂縦枠５３のガイド溝１５も下部の移動領域Ｐがモヘア５５によって閉鎖され、上部の非移動領域Ｑは扉部５７によって閉鎖されているため、樹脂縦枠５３の横方向の断面筒状のホロー部が増大し、断熱性が高い。
【００３２】
この状態から、下障子４を開口作動するには、上框２３の両側に設けた各ラッチ錠装置６５の摺動棒６９を縦枠８，９から外し、下障子４の引手部３０を操作者が把持して屋内側に引く。すると、下障子４は下端の支持部材１３を中心に見込み方向屋内側に回動し、ラッチ部材６７がガイド溝１５の直線溝１５ｂに嵌合する位置で下障子４が傾斜状態に保持され、図７に示す半開状態になる。
そして、操作者が引手部３０、そして引手片３７ａを手で持ち上げて下障子４をガイド溝１５に沿って上昇させると、下障子４は下端の下框２４に固定した支持部材１３とラッチ部材６７とがガイド溝１５の傾斜溝１５ａと直線溝１５ｂに沿って上昇し、図８に示す全開位置に至る。
【００３３】
その際、ガイド溝１５の移動領域Ｐは開口に対向して設けたモヘア５５によって閉鎖状態にあり、支持部材１３とラッチ部材６７は両側のモヘア５５をかき分けて弾性変形させながら上昇し、支持部材１３とラッチ部材６７が位置する領域以外はモヘア５５でガイド溝１５は閉鎖状態に保持される。
なお、下障子４は、支持部材１３を引き上げるワイヤー１２の上端を連結したバランサー１１内の巻き上げばねの付勢力によって任意の開口位置で停止する。
【００３４】
次に全開状態の下障子４を閉鎖させるには、図８において、下障子４がガイド溝１５の例えば直線溝１５ｂで上障子３と平行に保持された位置から、操作者が引手部３０や引手片３７ａを把持してガイド溝１５に沿って下障子４を降下させる。この場合も、支持部材１３とラッチ部材６７は両側のモヘア５５をかき分けて弾性変形させながら上昇し、支持部材１３とラッチ部材６７が位置する領域以外はモヘア５５でガイド溝１５は閉鎖状態に保持される。
そして、図７に示すように、下障子４は支持部材１３が傾斜溝１５ａの下端に到達して傾斜状態となった半開状態に至る。次いで、支持部材１３を支点として下障子４を見込み方向屋外側、即ち上障子３の方向に回動させることでラッチ部材６７をガイド溝１５から外してその屋外側に設けた縦枠８，９に当接する。そして、摺動棒６９を凹溝７０に嵌合させ、下障子４は図３に示す上障子３と平面状に重なった閉鎖位置に至る。
【００３５】
次に上げ下げ窓１の組立時には、上障子３を枠体２に固定した後、下障子４を枠体２内に取り付ける際、ワイヤー１２が巻き上げばねによってバランサー１１まで巻き上げられている。そのため、ガイド溝１５の非移動領域Ｑに設けた扉部５７を開いて巻き上げられたワイヤー１２を引き出して支持部材１３の支持部１３ａに係止する。そして、下障子４の支持部材１３をガイド溝１５の傾斜溝１５ａ内に装着して下枠７の空間４２内に位置させ、下障子４を見込み方向の屋外側に回動させることで枠体２内に装着できる。そして、ガイド溝１５の扉部５７を閉じればよい。
【００３６】
上述のように本実施形態による上げ下げ窓１によれば、枠体２の対向する縦枠８，９に形成したガイド溝１５は下障子４の移動領域Ｐはモヘア５５によって開口を閉鎖され、その上部の非移動領域Ｑは扉部５７によって開口を閉鎖されているため、ガイド溝１５が断面筒状のホロー部を形成して断熱性が向上する。しかも、ガイド溝１５の移動領域Ｐにモヘア５５を対向して設けたから、支持部材１３とラッチ部材６７を嵌合させた部分以外はモヘア５５で閉鎖状態に保持されるため断熱性が高い。
【００３７】
また、縦枠８，９に設けた各樹脂縦枠５３は、ガイド溝１５を含めて縦方向と横方向に断面筒状の複数のホロー部５０ａ、５３ａをそれぞれ形成したため、一層断熱性が向上する。
更に、ガイド溝１５内に収納したバランサー１１のワイヤー１２を扉部５７とモヘア５５で隠すことができるので外観の見栄えがよく、組立時には扉部５７を開いてワイヤー１２を引き出すことができて便利である。
【００３８】
なお、本発明による上げ下げ窓１は、上述した実施形態に限定されるものではなく、本発明の要旨を逸脱しない範囲で適宜の変更や置換等が可能である。
例えば上述した実施形態では、ガイド溝１５の開口を覆う扉部５７の下側にモヘア５５を対向して設けたが、これに代えて軟質樹脂等からなる一対のヒレ部をガイド溝１５の開口に対向して閉鎖させて設けてもよい。この場合には、下障子４の昇降時には支持部材１３の走行によって両側のヒレ部を開きながら走行することになる。
【００３９】
また、ガイド溝１５の非移動部に扉部５７を設けずに、全長に亘って開口にモヘア５５またはヒレ部を対向して配設してもよい。また、ガイド溝１５において、モヘア５５や扉部５７は連続して設けてもよいが、一部にモヘア５５や扉部５７を設けない部分があってもよい。この場合でも断面筒状のホロー部による断熱性向上を達成できる。
なお上述した実施形態ではガイド溝１５を走行する下障子４に支持部材１３とラッチ部材６７を設けたが、ラッチ部材６７を省略してもよく、支持部材１３とワイヤー１２によっても昇降可能である。なお、ワイヤー１２は索状部材に含まれる。
【００４０】
また、上述した実施形態による上げ下げ窓１では、上障子３と下障子４はパネルとしてトリプルガラス２１、２７を収納した構成であるが、本発明はこのような上障子３と下障子４に限定されるものではなく、パネルが単層ガラスやペアガラスであってもよい。
また、本発明による上げ下げ窓１は、枠体２内の上障子３を固定障子とし、下障子４を可動障子としたが、これとは逆に枠体２と共に固定障子を下側に可動障子を上側に配置して上下方向を逆にして設定してもよいし、或いは横方向に固定障子と可動障子を配列してもよい。
【符号の説明】
【００４１】
１  上げ下げ窓
２  枠体
３  上障子
４  下障子
７  下枠
８，９  縦枠
１１  バランサー
１２  ワイヤー
１３  支持部材
１３ａ  支持部
１５  ガイド溝
１５ａ  傾斜溝
１５ｂ  直線溝
２１、２７  トリプルガラス
２３  上框
３０  引手部
３７  樹脂下框
５３  樹脂縦框
５５  モヘア
５７  扉部
Ｐ  移動領域
Ｑ  非移動領域
【図１】
0006325373.tif 000002
【図２】
0006325373.tif 000003
【図３】
0006325373.tif 000004
【図４】
0006325373.tif 000005
【図５】
0006325373.tif 000006
【図６】
0006325373.tif 000007
【図７】
0006325373.tif 000008
【図８】
0006325373.tif 000009
【図９】
0006325373.tif 000010
【図１０】
0006325373.tif 000011